(57)【特許請求の範囲】
【請求項１】
頭部に装着されるヘッドセット部を有したヘッドホンに、立体映像観察用の特殊眼鏡を一体となるように取付けた立体映像観察用眼鏡付きヘッドホン装置であって、
上記ヘッドホンの左右の部分に、上記立体映像観察用の特殊眼鏡の左右一対の柄を回動自在にそれぞれ支持すると共に、
上記ヘッドホンの左右の部分と上記ヘッドセット部の左右の部分とを蝶番を介して支持して該ヘッドセット部をヘッドホン側に折り畳み自在に設けると共に、上記ヘッドセット部の折り畳み時に上記蝶番の位置と上記立体映像観察用の特殊眼鏡の左右一対の柄の蝶番の位置が概略同じ位置にくるように設定したことを特徴とする立体映像観察用眼鏡付きヘッドホン装置。
【請求項２】
請求項１に記載の立体映像観察用眼鏡付きヘッドホン装置において、上記ヘッドホンの左右の部分に、上記立体映像観察用の特殊眼鏡の概略水平状態を維持するストッパをそれぞれ設けたことを特徴とする立体映像観察用眼鏡付きヘッドホン装置。
【請求項３】
請求項１または２のいずれかに記載の立体映像観察用眼鏡付きヘッドホン装置において、上記ヘッドホンに赤外線受光部を設けて該ヘッドホンがコードレスで作動するように構成したことを特徴とする立体映像観察用眼鏡付きヘッドホン装置。
【請求項４】
請求項１ないし３までのいずれかに記載の立体映像観察用眼鏡付きヘッドホン装置において、上記立体映像観察用の特殊眼鏡のレンズホルダーの左右の部分に、互いに直交する偏光板をそれぞれ取付けたことを特徴とする立体映像観察用眼鏡付きヘッドホン装置。
【請求項５】
請求項１ないし３までのいずれかに記載の立体映像観察用眼鏡付きヘッドホン装置において、上記立体映像観察用の特殊眼鏡のレンズホルダーの左右の部分に、互いに逆方向の円偏光板をそれぞれ取付けて立体映像が見れるように構成したことを特徴とする立体映像観察用眼鏡付きヘッドホン装置。
【請求項６】
請求項１ないし３までのいずれかに記載の立体映像観察用眼鏡付きヘッドホン装置において、上記立体映像観察用の特殊眼鏡のレンズホルダーの左右の部分に、赤紫色のフィルターと薄黄色のフィルターをそれぞれ取付けて横走りの立体映像が見れるように構成したことを特徴とする立体映像観察用眼鏡付きヘッドホン装置。
【請求項７】
請求項１ないし３までのいずれかに記載の立体映像観察用眼鏡付きヘッドホン装置において、上記立体映像観察用の特殊眼鏡のレンズホルダーの左右の部分に、赤色のフィルターと青色のフィルターをそれぞれ取付けて立体映像が見れるように構成したことを特徴とする立体映像観察用眼鏡付きヘッドホン装置。
【請求項８】
請求項１ないし３までのいずれかに記載の立体映像観察用眼鏡付きヘッドホン装置において、上記立体映像観察用の特殊眼鏡のレンズホルダーの左右の部分に、左右交互に開閉する偏光シャッターをそれぞれ取付けて立体映像が見れるように構成したことを特徴とする立体映像観察用眼鏡付きヘッドホン装置。
【請求項９】
請求項８に記載の立体映像観察用眼鏡付きヘッドホン装置において、上記左右の偏光シャッターの切換えタイミング信号を赤外線で送信するようにすると共に、該タイミング信号とヘッドホンの音声信号とを重畳し、一つの赤外線で送受信するように構成したことを特徴とする立体映像観察用眼鏡付きヘッドホン装置。
【発明の詳細な説明】
【０００１】
【産業上の利用分野】
この発明は、ビデオプロジェクターの前方に配置されたスクリーンやテレビ画面等の映像及び音声を、立体視及びステレオ可聴できるようにした立体映像観察用眼鏡付きヘッドホン装置に関する。
【０００２】
【従来の技術】
例えば、博覧会や展示会等では、立体視可能な立体プロジェクター装置が頻繁に用いられている。これを、図７によって具体的に説明すると、図７中１００は立体プロジェクター装置である。この立体プロジェクター装置１００は、左眼用（Ｌ）と右眼用（Ｒ）に相当する画像を２枚のビデオレーザーディスクに納め、これを２台のレーザーディスクプレーヤー１０１Ｌ，１０１Ｒをコマンダー１０２を介して同時にスタートさせて再生し、前面の各偏光板１０４Ｌ，１０４Ｒにより直交する偏光（又は円偏光）をかけた上下２台のプロジェクター１０３Ｒ，１０３Ｌで同一のスクリーン１０５上に投影し、これを立体映像観察用の特殊眼鏡１１０で見るものである。尚、上記スクリーン１０５は投影光の偏光方向を変えずにそのまま反射する表面材質でできている。
【０００３】
図８に示すように、上記立体映像観察用の特殊眼鏡１１０のフレーム１１１は紙で作られていて、左右のレンズに相当するところには上下２台のプロジェクター１０３Ｒ，１０３Ｌにより映し出される画像の偏光方向に対応した互いに直交する横方向と縦方向の偏光板１１２Ｌ，１１２Ｒをそれぞれ取付けてある。
【０００４】
【発明が解決しようとする課題】
上記従来の立体プロジェクター装置１００に用いられる立体映像観察用の特殊眼鏡１１０では、展示会等で短時間かけている場合にはさしつかえないが、この立体映像観察用の特殊眼鏡１１０を用いて家庭用のプロジェクター装置等で簡単に長時間にわたって立体映像が見られるようになると、眼鏡をかけていない使用者にとっては立体映像観察用の特殊眼鏡１１０をかけていることが煩わしく、また、日常生活において既に眼鏡をかけている使用者にとっては更に立体映像観察用の特殊眼鏡１１０をかけることになり、やはり煩わしかった。さらに、家庭用のプロジェクター装置等では、その冷却用ファンの音がかなり耳ざわりであるという不都合があった。
【０００５】
そこで、この発明は、使い易くしかも長時間使用しても煩わしくなくて疲労が少ない立体映像観察用眼鏡付きヘッドホン装置を提供するものである。
【０００６】
【課題を解決するための手段】
頭部に装着されるヘッドセット部を有したヘッドホンに、立体映像観察用の特殊眼鏡を一体となるように取付け、ヘッドホンの左右の部分に、上記立体映像観察用の特殊眼鏡の左右一対の柄を回動自在にそれぞれ支持すると共に、ヘッドホンの左右の部分とヘッドセット部の左右の部分とを蝶番を介して支持してヘッドセット部をヘッドホン側に折り畳み自在に設けると共に、上記ヘッドセット部の折り畳み時に上記蝶番の位置と上記立体映像観察用の特殊眼鏡の左右一対の柄の蝶番の位置が概略同じ位置にくるように設定する。
【０００７】
【作用】
ヘッドセット部を有したヘッドホンに、立体映像観察用の特殊眼鏡を一体となるように取り付けたので、立体映像観察用の特殊眼鏡の重量がヘッドホンのヘッドセット部で支えられ、使用者の鼻等にかかることがない。これにより、立体映像観察用眼鏡付きヘッドホン装置を長時間使用しても煩わしくなく、また、プロジェクターのファンの音等に邪魔されずに画と音を楽しむことができて使い勝手が非常によい。そして、上記ヘッドホンの左右の部分に、立体映像観察用の特殊眼鏡の左右一対の柄を回動自在にそれぞれ支持すると共に、ヘッドホンの左右の部分とヘッドセット部の左右の部分とを蝶番を介して支持してヘッドセット部をヘッドホン側に折り畳み自在に設けると共に、ヘッドセット部の折り畳み時に上記蝶番の位置と立体映像観察用の特殊眼鏡の左右一対の柄の蝶番の位置が概略同じ位置にくるように設定してあるので、ヘッドホンと特殊眼鏡を一体にして折り畳むことができ持ち運び等に非常に便利である。
【０００８】
【実施例】
以下、この発明の実施例を図面と共に詳述する。
【０００９】
図１〜図５において、１は立体映像観察用眼鏡付きヘッドホン装置である。この立体映像観察用眼鏡付きヘッドホン装置１は、使用者（観察者）４１の頭部４２に装着されるヘッドセット部１５を有したコードレスステレオヘッドホン（以下、ヘッドホンという）１０と、このヘッドホン１０に一体となるように取付けられた立体映像観察用の特殊眼鏡２０とで構成されている。
【００１０】
ヘッドホン１０は、各パット１２Ｌ，１２Ｒで被われている左右一対の発音部１１Ｌ，１１Ｒと、この一対の発音部１１Ｌ，１１Ｒの上部の各筒部１３Ｌ，１３Ｒに各棒部１４Ｌ，１４Ｒを介して上下方向に伸縮自在に設けられている逆Ｕ字状のヘッドセット部１５とで大略構成されている。上記左右一対棒部１４Ｌ，１４Ｒの凹状の先端部と上記ヘッドセット部１５の左右の凸状の各端部とは各蝶番（ヒンジ）１５Ｌ，１５Ｒを介して回動自在に支持されており、該ヘッドセット部１５は各発音部１１Ｌ，１１Ｒ側に折り畳み自在になっている。また、上記左右一対の棒部１４Ｌ，１４Ｒが上記左右一対の筒部１３Ｌ，１３Ｒに伸縮自在に嵌合されていることにより、使用者（観察者）４１の頭頂部４２と耳４３とに対するヘッドホン１０のヘッドセット部１５と左右一対の発音部１１Ｌ，１１Ｒの各パット１２Ｌ，１２Ｒとの間隔（位置）を調整できるようになっている。
【００１１】
また、上記左右一対の発音部１１Ｌ，１１Ｒの外面の各突出部の上部には赤外線受光部１６Ｌ，１６Ｒを設けて、ヘッドホン１０がコード（ワイヤ）レスで作動するように構成してある。図１に示す符号３０は、ヘッドホン１０を赤外線によりコードレスで作動させる赤外線発光装置であり、図４に示す２台のレーザーディスクプレーヤー６０Ｌ，６０Ｒや図５に示す１台のＶＴＲ６０の音声出力端子にそれぞれ接続されるようになっている。この発光装置３０は上記ＶＴＲ６０等の音声出力を赤外線信号に変調し発光するようになっている。即ち、発光装置３０の基台３１の前面にはパワースイッチ３２及びランプ３３を設けてあると共に、その上面中央には略円柱状の発光部３４を立設してある。この発光部３４の中には上記赤外線信号を発光する複数の発光ダイオード（ＬＥＤ）３５が入っている。さらに、上記左右一対の発音部１１Ｌ，１１Ｒの外面の各突出部には、パワースイッチ１７とランプ１７ａ及び音声調節つまみ１８が設けられている。
【００１２】
立体映像観察用の特殊眼鏡２０は、左右にレンズ開口部２１Ｌ，２１Ｒを有したレンズホルダー２１と、このレンズホルダー２１の両側に各蝶番（ヒンジ）２３Ｌ，２３Ｒを介して折り畳み自在に支持された左右一対の柄２２Ｌ，２２Ｒとで大略構成されている。このレンズホルダー２１の左右のレンズ開口部２１Ｌ，２１Ｒ内には、互いに直交する横方向と縦方向の偏光板２４Ｌ，２４Ｒをそれぞれ取付けてある。また、左右一対の柄２２Ｌ，２２Ｒの先端部はヘッドホン１０の左右一対の筒部１３Ｌ，１３Ｒの外側基部に各軸２５Ｌ，２５Ｒを介して回動自在にそれぞれ支持してある。また、図２に示すように、ヘッドホン１０のヘッドセット部１５のレンズホルダー２１側への回動及び折り畳みと、左右一対の柄２２Ｌ，２２Ｒの折り畳み時に、上記ヘッドホン１０側の各蝶番１５Ｌ，１５Ｒの位置と上記左右の一対の柄２２Ｌ，２２Ｒの各蝶番２３Ｌ，２３Ｒの位置とが概略同じ位置にくるように設定してある。さらに、左右一対の柄２２Ｌ，２２Ｒは、上記各筒部１３Ｌ，１３Ｒの外側基端部に突設した各ストッパ１９Ｌ，１９Ｒに係止されるようになっている。これにより、図１，図２に示すように、立体映像観察用眼鏡付きヘッドホン装置１の使用時に、立体映像観察用の特殊眼鏡２０が概略水平状態に維持されるようになっている。
【００１３】
尚、図４中、５０Ｌ，５０Ｒは管球式の一対のビデオプロジェクターであり、この管球式の一対のビデオプロジェクター５０Ｌ，５０Ｒの投影レンズ鏡筒の前側には横方向と縦方向の偏光板５１Ｌ，５１Ｒをそれぞれ取付けてある。また、図４中、６０Ｌ，６０Ｒはレーザーディスクプレーヤーであり、左眼用と右眼用に相当する画像を納めた図示しない各ビデオレーザーディスクから各映像を上記一対のビデオプロジェクター５０Ｌ，５０Ｒに供給するものである。さらに、図５中、５０は管球式のビデオプロジェクターであり、６０はフィールド毎に左眼用と右眼用の画像の入った図示しない立体用テープを再生するＶＴＲである。そして、上記管球式のビデオプロジェクター５０の前側にはアダプター５１を取付けてある。このアダプター５１内において、透過部５２ａと反射部５２ｂを半分ずつ有した回転板５２の回転等によりスクリーン４０上に上記ＶＴＲ６０の左眼用と右眼用の画像を投影できるようになっている（この詳細は本出願人が先に開示した特願平６−２９０２６０号の「立体映像投影装置」参照）。
【００１４】
以上実施例の立体映像観察用眼鏡付きヘッドホン装置１によれば、図３に示すように、ヘッドホン１０のヘッドセット部１５を頭部４２に装着して立体映像観察用の特殊眼鏡２０を前方に倒すだけの簡単な操作により、観察者４１は立体映像観察用眼鏡付きヘッドホン装置１を簡単に装着することができる。この際に、ヘッドホン１０はコードレスで作動される（赤外線により遠隔操作される）ようになっているので、コードを気にせず装着することができると共に、特殊眼鏡２０の一対の柄２２Ｌ，２２Ｒは各軸２５Ｌ，２５Ｒを中心に下方に回転するが、その途中において各ストッパ１９Ｌ，１９Ｒに係止されて該各ストッパ１９Ｌ，１９Ｒより下方に回転することがない。これにより、図３〜図５に示すように、立体映像観察用眼鏡付きヘッドホン装置１の使用時において、特殊眼鏡２０は常に概略水平状態に維持され、特殊眼鏡２０のレンズホルダー２１の下部中央が観察者４１の鼻４４に当たらない位置で観察者４１は立体映像及びそのステレオ音声を楽しむことができる。
【００１５】
このように、ヘッドセット部１５を有したヘッドホン１０に、立体映像観察用の特殊眼鏡２０を一体となるように取付けたので、該特殊眼鏡２０の重量を上記ヘッドホン１０のヘッドセット部１５側で支えることができる。その結果、特殊眼鏡２０の重量が観察者４１の鼻４４にかからないか、又はかかっても軽減することができるので、立体映像観察用眼鏡付きヘッドホン装置１を長時間使用しても「眼鏡をかける」煩わしさがなく、さらに眼鏡をかけている人もその上からかけられるので使い勝手が非常によい。また、西洋人のように鼻のとがって大きな人でも、サイズの違ったヘッドホン装置を多数用意することなく、１つのヘッドホン装置１で済ませることができる。
【００１６】
図４，図５は、立体映像観察用眼鏡付きヘッドホン装置１を使って立体映像を楽しんでいる例である。即ち、図４の例では、２台のレーザーディスクプレーヤー５０Ｌ，５０Ｒの映像出力を管球式ビデオプロジェクター５０Ｌ，５０Ｒにつなぎ、その映像を同一のスクリーン４０に投影して特殊眼鏡２０で立体映像を楽しんでいるところである。この際、各レーザーディスクプレーヤー５０Ｌ，５０Ｒの音声出力を赤外線発光装置３０につないでいるので、観察者４１はヘッドホン１０の一対の発音部１１Ｌ，１１Ｒを通して立体映像用のステレオ音声を聴くことができる。
【００１７】
また、図５の例では、ＶＴＲ６０によりフィールド毎に左眼用と右眼用の画像の入った図示しない立体用テープを再生しているので、観察者４１は立体映像を楽しむことができる。特に、図５のように家庭用であると、比較的に管球式のビデオプロジェクター５０の近いところでスクリーン４０の画面を見ることになるので、該ビデオプロジェクター５０の冷却用ファンの音が大変耳ざわりであるのに対し、ヘッドホン１０を介してステレオ音声を聴けば外部の音が聞こえなくなり、すばらしい音で楽しむことができる。このように、ヘッドホン１０と特殊眼鏡２０を一体にしてヘッドホン装置１を構成したので、ビデオプロジェクター５０の冷却用ファンの音に邪魔されずに画と音を楽しむことができる。
【００１８】
さらに、図２に示すように、使用後に、ヘッドホン装置１は折り畳むことができる。即ち、特殊眼鏡２０を各軸２５Ｌ，２５Ｒを中心にしてヘッドホン１０に対して上方に回転させると、ヘッドホン１０の各蝶番１５Ｌ，１５Ｒの位置と上記特殊眼鏡２０の左右一対の柄２２Ｌ，２２Ｒの各蝶番２３Ｌ，２３Ｒの位置が概略同じ位置にくるので、特殊眼鏡２０とヘッドホン１０のヘッドセット部１５を同時に折り畳むことができる。このように、ヘッドホン１０と特殊眼鏡２０を一体にして折り畳めるので、持ち運び等に非常に便利である。
【００１９】
また、本出願人が先に特願平６−１２６６６１号で開示した「同一の映像をスクリーン上に左右２つの概略眼幅程度離れた画像として投影し、これを左眼用の画像を左の眼で、右眼用の画像を右眼で見ることにより、画像の位置をスクリーンとは異なるところに見れるようにした疑似立体画像投影装置」では、特に長時間の視聴でも疲れないものであるが、この立体眼鏡用にも前記実施例の立体映像観察用眼鏡付きヘッドホン装置１は最適なものである。
【００２０】
図６は他の実施例の立体映像観察用眼鏡付きヘッドホン装置１′を示す。この立体映像観察用眼鏡付きヘッドホン装置１′は、前記実施例と同構成のヘッドホン１０と、立体映像観察用の特殊眼鏡２０′とで構成されている。この特殊眼鏡２０′のレンズホルダー２１の左右のレンズ開口部２１Ｌ，２１Ｒには、左右交互に開閉する偏光シャッター２６Ｌ，２６Ｒをそれぞれ取付けて立体映像が見れるようにしてある。また、図６中７０はテレビモニターであり、そのディスプレイ７１には、フィールド周波数１２０Ｈｚの立体ビデオ信号を用いて、フィールド毎に左眼用と右眼用の画像が切り換わるように表示する。そして、この切換えタイミングを赤外線発光装置３０′の発光部３４から赤外線でヘッドホン１０の一対の赤外線受光部１６Ｌ，１６Ｒにコードレス伝送し、特殊眼鏡２０′の偏光シャッター２６Ｌ，２６Ｒによりディスプレイ７１の画面に合わせて左右交互に開閉することにより立体映像が見えるようになっている。赤外線発光装置３０′からは切換えタイミング信号とヘッドホン１０の音声信号を重畳して発信し、一つの赤外線を各赤外線受光部１６Ｌ，１６Ｒで受光するようになっている。一対の偏光シャッター２６Ｌ，２６Ｒを保持するレンズホルダー２１はかなり重いものになるが、ヘッドホン１０のヘッドセット部１５でその重さを受けるので、前記実施例と同様に、立体映像観察用の特殊眼鏡２０′の重量が使用者４１の鼻４４にかかることがない。これにより、立体映像観察用眼鏡付きヘッドホン装置１′を長時間使用しても煩わしくなく、使い勝手が非常によい。
【００２１】
尚、前記各実施例では、立体映像観察用の特殊眼鏡のレンズホルダーの左右の部分に、互いに直交する偏光板をそれぞれ取付けたり、左右交互に開閉する偏光シャッターをそれぞれ取付けて、立体映像が見れるようにしたが、上記立体映像観察用の特殊眼鏡のレンズホルダーの左右の部分に、互いに逆方向の円偏光板をそれぞれ取付けて立体映像が見れるようにしたり、また、赤紫色のフィルターと薄黄色のフィルターをそれぞれ取付けて横走りの立体映像が見れるようにしたり、さらに、赤色のフィルターと青色のフィルターをそれぞれ取付けて立体映像が見れるようにしてもよい。
【００２２】
また、前記各実施例では、ヘッドホンの左右一対の発音部に赤外線受光部をそれぞれ取付けたが、ヘッドホンのヘッドセット部の頂部に赤外線受光部を１ケ取付けてシステム全体を簡素化してもよい。さらに、特殊眼鏡の形状も前記各実施例の形状に限定されるものではなく、もっと大きなものにしてもよい。
【００２３】
【発明の効果】
以上のように、この発明の立体映像観察用眼鏡付きヘッドホン装置によれば、頭部に装着されるヘッドセット部を有したヘッドホンに、立体映像観察用の特殊眼鏡を一体となるように取付けたので、上記立体映像観察用の特殊眼鏡の重量を上記ヘッドホンのヘッドセット部側で支えることができ、該立体映像観察用の特殊眼鏡の重量が使用者の鼻等にかかることがない。これにより、立体映像観察用眼鏡付きヘッドホン装置を長時間使用しても煩わしくなく、また、プロジェクターのファンの音等に邪魔されずに画と音を楽しむことができて使い勝手が非常によい。そして、上記ヘッドホンの左右の部分に、上記立体映像観察用の特殊眼鏡の左右一対の柄を回動自在にそれぞれ支持すると共に、ヘッドホンの左右の部分とヘッドセット部の左右の部分とを蝶番を介して支持してヘッドセット部をヘッドホン側に折り畳み自在に設けると共に、上記ヘッドセット部の折り畳み時に上記蝶番の位置と上記立体映像観察用の特殊眼鏡の左右一対の柄の蝶番の位置が概略同じ位置にくるように設定してあるので、ヘッドホンと特殊眼鏡を一体にして折り畳むことができ持ち運び等に非常に便利である。
【図面の簡単な説明】
【図１】この発明の実施例を示す立体映像観察用眼鏡付きヘッドホン装置の斜視図。
【図２】上記立体映像観察用眼鏡付きヘッドホン装置の折り畳み状態を背面側から見た斜視図。
【図３】上記立体映像観察用眼鏡付きヘッドホン装置を頭部に装着した状態を示す斜視図。
【図４】上記立体映像観察用眼鏡付きヘッドホン装置の使用状態を示す斜視図。
【図５】上記立体映像観察用眼鏡付きヘッドホン装置の他の使用状態を示す斜視図。
【図６】第２実施例の立体映像観察用眼鏡付きヘッドホン装置を示す斜視図。
【図７】従来例の立体プロジェクター装置の使用状態を示す説明図。
【図８】上記従来例の立体プロジェクター装置に使用される立体映像観察用の特殊眼鏡の斜視図。
【符号の説明】
１，１′…立体映像観察用眼鏡付きヘッドホン装置
１０…ヘッドホン
１５…ヘッドセット部
１５Ｌ，１５Ｒ…蝶番
１６Ｌ，１６Ｒ…赤外線受光部
１９Ｌ，１９Ｒ…ストッパ
２０，２０′…立体映像観察用の特殊眼鏡
２１…レンズホルダー
２２Ｌ，２２Ｒ…一対の柄
２３Ｌ，２３Ｒ…蝶番
２４Ｌ，２４Ｒ…偏光板
２６Ｌ，２６Ｒ…偏光シャッター
【図１】
0003617094.tif 000002
【図２】
0003617094.tif 000003
【図３】
0003617094.tif 000004
【図４】
0003617094.tif 000005
【図５】
0003617094.tif 000006
【図６】
0003617094.tif 000007
【図７】
0003617094.tif 000008
【図８】
0003617094.tif 000009